(57)【要約】      （修正有）【課題】使用者、特に小学校低学年の児童など体の小さな使用者にとって、背負ったときのランドセルの位置が所望の位置に調節しやすいように、長さを調整しやすい肩ベルトを提供する。【解決手段】ランドセルの上部に取り付ける基端側１ａとランドセルの下部に取り付ける先端側１ｂを有する帯状のベルト本体１と、前記ベルト本体の先端側に、前記ベルト本体の長手方向に沿って所定間隔にて配設された複数の第一ベルト孔２と、前記第一ベルト孔より基端側に、前記ベルト本体の長手方向に沿って前記所定間隔より狭い間隔にて配設された複数の第二ベルト孔３を備えるランドセル用肩ベルトによって解決することができた。【選択図】図１
0003235089.tif 000002
【実用新案登録請求の範囲】
【請求項１】
ランドセルの上部に取り付ける基端側とランドセルの下部に取り付ける先端側を有する帯状のベルト本体と、
前記ベルト本体の先端側に、前記ベルト本体の長手方向に沿って所定間隔にて配設された複数の第一ベルト孔と、
前記第一ベルト孔より基端側に、前記ベルト本体の長手方向に沿って前記所定間隔より狭い間隔にて配設された複数の第二ベルト孔を備える
ことを特徴とするランドセル用肩ベルト。
【請求項２】
前記ベルト本体は、前記ベルト本体の中心近傍に位置する屈曲点にて、前記先端側が、使用者が肩に掛けたときに使用者のから離れる方向である外側に向かうよう屈曲しており、
前記ベルト本体の前記基端側における短手方向の略中央に位置する固定具と前記屈曲点を結ぶ直線と、前記第一ベルト孔を結ぶ直線が為す屈曲角度が、２０〜３０度の角度で傾斜している
ことを特徴とする請求項１に記載のランドセル用肩ベルト。
【請求項３】
引張強度が１００〜２００ｋＰａであり、引裂強度が０．１〜１．２ｋＮ／ｍであり、伸び率が９０〜１５０％であって、前記ベルト本体を構成する表面部と裏面部の間に配設される緩衝部を備える
ことを特徴とする請求項１又は請求項２に記載のランドセル用肩ベルト。
【請求項４】
前記ベルト本体の前記表面部側から視認したときに、前記表面部の短手方向の幅よりも前記裏面部の短手方向の幅が最大で１．２〜１．５倍広く、裏面部が表面部よりも柔らかい材料である
ことを特徴とする請求項３に記載のランドセル用肩ベルト。
【考案の詳細な説明】
【技術分野】
【０００１】
本考案は、使用者がランドセルを背負うときに使用者の左右の肩に掛かるベルトに関するものである。
【背景技術】
【０００２】
従来、小学生等が、教科書やノートなどを収納したランドセルを背負って、登校及び下校している。このようなランドセルを背負うときに、ランドセルの背面に配設され使用者の左右の肩に掛かる肩ベルトが設けられているところ、使用者の伸長など体の大きさに応じてランドセルを背負いやすくするために、肩ベルトの長さを調整することができる。
【０００３】
例えば、特許文献１のランドセルの肩ベルトにおいて、肩ベルトの下方帯方部には、５つのサイズ調整用の孔が穿設されており、図示されないランドセルの背面下方に位置する下ベルトに取り付けられた尾錠のツク棒がそれらの孔のうちの一つに挿通されることにより、肩ベルト及び下ベルトの長さが５段階に調整することができる。
【先行技術文献】
【特許文献】
【０００４】
【特許文献１】特開２０１３−２１５３３３号公報
【考案の概要】
【考案が解決しようとする課題】
【０００５】
しかしながら、特許文献１に記載のランドセルの肩ベルトにおいて、５つのサイズ調整用の孔は、おおよそ均等な間隔で穿設されているために、小学校低学年の児童など体の小さな使用者にとっては、一番上の孔で調整すると肩ベルト及び下ベルトの長さがやや短くランドセルを背負うときに窮屈になるが、上から２番目の孔で調整すると肩ベルト及び下ベルトの長さがやや長くランドセルを背負うときにランドセルの位置が所望の位置よりずり下がるというように、適切な長さになるように肩ベルトを調整しにくいという課題があった。
【０００６】
本考案は上記課題に鑑みてなされたものであり、使用者、特に小学校低学年の児童など体の小さな使用者にとって、背負ったときのランドセルの位置が所望の位置に調節しやすいように、長さを調整しやすい肩ベルトを提供することを目的とする。
【課題を解決するための手段】
【０００７】
〔１〕すなわち、本考案は、ランドセルの上部に取り付ける基端側（１ａ）とランドセルの下部に取り付ける先端側（１ｂ）を有する帯状のベルト本体（１）と、前記ベルト本体（１）の先端側（１ｂ）に、前記ベルト本体（１）の長手方向に沿って所定間隔にて配設された複数の第一ベルト孔（２）と、前記第一ベルト孔（２）より基端側（１ａ）に、前記ベルト本体（１）の長手方向に沿って前記所定間隔より狭い間隔にて配設された複数の第二ベルト孔（３）を備えることを特徴とするランドセル用肩ベルトである。
【０００８】
〔２〕そして、前記ベルト本体（１）は、前記ベルト本体（１）の中心近傍に位置する屈曲点（Ｐ）にて、前記先端側（１ｂ）が、使用者が肩に掛けたときに使用者のから離れる方向である外側に向かうよう屈曲しており、前記ベルト本体（１）の前記基端側（１ａ）における短手方向の略中央に位置する固定具（Ｒ）と前記屈曲点（Ｐ）を結ぶ直線と、前記第一ベルト孔（２）を結ぶ直線が為す屈曲角度（α）が、２０〜３０度で傾斜していることを特徴とする請求項１に記載のランドセル用肩ベルトである。
【０００９】
〔３〕そして、引張強度が１００〜２００ｋＰａであり、引裂強度が０．１〜１．２ｋＮ／ｍであり、伸び率が９０〜１５０％であって、前記ベルト本体（１）を構成する表面部（１１）と裏面部（１２）の間に配設される緩衝部（４）を備えることを特徴とする請求項１又は請求項２に記載のランドセル用肩ベルトである。
【００１０】
〔４〕そして、前記ベルト本体（１）の前記表面部（１１）側から視認したときに、前記表面部（１１）の短手方向の幅よりも前記裏面部（１２）の短手方向の幅が最大で１．２〜１．５倍広く、裏面部（１２）が表面部（１１）よりも柔らかい材料であることを特徴とする請求項３に記載のランドセル用肩ベルトである。
【考案の効果】
【００１１】
本考案のランドセル用肩ベルトによれば、使用者、特に小学校低学年の児童など体の小さな使用者にとって、背負ったときのランドセルの位置が所望の位置に調節しやすいように、ランドセル用肩ベルトの長さを調整しやすいという効果を奏する。
【図面の簡単な説明】
【００１２】
【図１】本考案のランドセル用肩ベルトの一実施形態における正面図である。
【図２】本考案のランドセル用肩ベルトの一実施形態における背面図である。
【図３】本考案のランドセル用肩ベルトの一実施形態におけるＡ−Ａ線断面図である。
【図４】本考案のランドセル用肩ベルトの一実施形態におけるＢ−Ｂ部分拡大図である。
【図５】本考案のランドセル用肩ベルトの一実施形態におけるＣ−Ｃ部分拡大図である。
【考案を実施するための形態】
【００１３】
以下、本考案のランドセル用肩ベルトに係る実施形態について図面に基づいて詳しく説明する。明細書中における上下の方向は図１における上下方向であり、外側方向は使用者が肩に掛けたときに使用者のから離れる方向である図１における右方向であり、内側方向は使用者が肩に掛けたときに使用者の胸部に向かう方向である図１における左方向である。また、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。また、本明細書において数値範囲を表す表現「〜」は上限及び下限を含むものである。
【００１４】
図１から図５を参照して、本考案のランドセル用肩ベルトに係る実施形態について説明する。本実施形態のランドセル用肩ベルトは、そのベースとなるベルト本体１において、第一ベルト孔２、第二ベルト孔３が穿設され、ベルト本体１の内部に配設された緩衝部４などから構成されている。
【００１５】
ベルト本体１は、ランドセルの上部に取り付ける基端側１ａとランドセルの下部に取り付ける先端側１ｂを有する帯状の部材である。ベルト本体１をランドセルの背面の左右一対に配設することで、使用者がランドセルを背負うことができるようになる。
【００１６】
ベルト本体１は、帯状の表面部１１と帯状の裏面部１２の少なくとも２つの部材を縫合するなどにより一体化されており、表面部１１と裏面部１２の間には緩衝部４が包接されている。より具体的には、図４に示すように、裏面部１２において短手方向の両端を湾曲して、表面部１１の短手方向の両端側と縫合するなどにより一体化されている。このため、図１に示すように、ベルト本体１の表面部１１側から視認したときに、表面部１１の短手方向の幅よりも裏面部１２の短手方向の幅が広くなっている。裏面部１２の短手方向の幅が表面部１１の短手方向の幅よりおおよそ最も張り出している図３に示すように、裏面部１２の短手方向の幅Ｗ２が表面部１１の短手方向の幅Ｗ１の１．３倍となっている。このように、ベルト本体１の表面部１１側から視認したときに、表面部１１の短手方向の幅よりも裏面部１２の短手方向の幅が最大で１．２〜１．５倍広いことが好ましく、１．２５〜１．４倍広いことが好ましい。そして、裏面部１２が表面部１１よりも柔らかい材料で形成されている。これらのことから、使用者がランドセルを背負って走ったりするなどの激しい動作によりランドセルが大きく揺れ動いたとしても、ベルト本体１のうち相対的に硬い表面部１１が使用者の肩付近に当接しないので使用者が痛みを感じないとともにベルト本体１が伸びることがないという効果を奏する。
【００１７】
そして、表面部１１と裏面部１２が中心近傍にてそれぞれ略への字状に緩やかに湾曲していることから、ベルト本体１もその中心近傍に位置する屈曲点Ｐにて略への字状に基端側１ａと先端側１ｂへと緩やかに屈曲している。すなわち、ベルト本体１は、ベルト本体１の中心近傍に位置する屈曲点Ｐにて、先端側１ｂが、使用者が肩に掛けたときに使用者のから離れる方向である外側に向かうよう屈曲している。そして、ベルト本体１の基端側１ａにおける短手方向の略中央に位置する後述の固定具Ｒと屈曲点Ｐを結ぶ直線と、第一ベルト孔２及び第二ベルト孔３などを結ぶ直線が為す屈曲角度αが、本実施形態では２５度の角度で傾斜しているところ、２０〜３０度の角度で傾斜していることが好ましく、２３〜２８度の角度で傾斜していることがさらに好ましい。屈曲角度αがこの範囲であると、小学校低学年の児童など小さな使用者にとって、ベルト本体１が脇腹により密着することで、ランドセルを背負って走ったりするなどの激しい動作をしやすくなるとともに、そのような激しい動作のときに背カン及び取り付け具への負荷が軽減するのでランドセルの耐久性を向上させることができる。
【００１８】
第一ベルト孔２は、ベルト本体１の下部である先端側１ｂに、ベルト本体１の長手方向に沿って所定間隔Ｌ１にて複数配設された孔である。第一ベルト孔２は、図示されないランドセルの背面下方に位置する下ベルトに取り付けられた尾錠のツク棒が挿通される孔である。いずれかの第一ベルト孔２に尾錠のツク棒が挿通されることにより、肩ベルトの長さを調整することができる。本実施形態において、第一ベルト孔２は、所定間隔Ｌ１にて５個穿設されているが、他の実施形態において、３，４，６，７個などの個数設けられていてもよい。
【００１９】
第二ベルト孔３は、第一ベルト孔２より基端側１ａに、ベルト本体１の長手方向に沿って、複数の第一ベルト孔２間の所定間隔Ｌ１より狭い間隔Ｌ２にて複数配設された孔である。ベルト本体１の長手方向に沿って、複数の第一ベルト孔２及び複数の第二ベルト孔３が穿設されている。第二ベルト孔３は、第一ベルト孔２と同様にいずれかの第一ベルト孔２に尾錠のツク棒が挿通されることにより、肩ベルトの長さを調整することができる。第二ベルト孔３が第一ベルト孔２より基端側１ａに配設されていることにより、使用者、特に小学校低学年の児童など体の小さな使用者にとって、背負ったときのランドセルの位置が所望の位置に調節しやすいように、肩ベルトの長さを調整しやすくなっている。本実施形態において、第二ベルト孔３は、所定間隔Ｌ１より狭い間隔Ｌ２にて４個穿設されているが、他の実施形態において、３，５，６，７個などの個数設けられていてもよい。さらに、複数の第一ベルト孔２間の所定間隔Ｌ１は、複数の第二ベルト孔３の間隔Ｌ２のおおよそ１．３倍であり、１．１倍〜１．５倍であることが好ましい。複数の第二ベルト孔３の間隔Ｌ２に対する複数の第一ベルト孔２間の所定間隔Ｌ１が、このような範囲であると、小学校低学年の児童など小さな使用者にとって、より適切に肩ベルトの長さを調整しやすい。
【００２０】
そして、ベルト本体１の基端側１ａが、図２に示すように、表面部１１が長手方向におり返され、その折り返された表面部１１を、表面部１１及び裏面部１２を貫通する固定具Ｒに留められて形成されている。固定具Ｒは、ベルト本体１の基端側１ａにおける短手方向の略中央に設けられている。図１、図５に示すように、ベルト本体１の基端側１ａにおいて、ベルト本体１の短手方向に対して、すなわち、ベルト本体１の長手方向に垂直な方向に対して、使用者が肩に当てたときにおけるベルト本体１の外側（図１における右側）から内側（図１における左側）に向かって５〜１５度の上向きの角度βで傾斜していることが好ましい。当該角度βにて傾斜していることにより、ベルト本体１の基端側１ａにおいて表面部１１に巻付けられて取付けられた取付具５がランドセルの背面上部に配設された背カンと接続されることでランドセルと肩ベルトが一体化されたときに、ベルト本体１が外側に逃げにくく使用者の肩にフィットしやすくなることによりランドセルの荷重が分散されることで、使用者がランドセルを軽く感じることができるというように背負い心地を向上することができる。
【００２１】
緩衝部４は、２２℃において、引張強度が１００〜２００ｋＰａであり、引裂強度が０．１〜１．２ｋＮ／ｍであり、伸び率が９０〜１５０％であって、ベルト本体１を構成する表面部１１と裏面部１２の間に配設される部材である。緩衝部４の物性値がこれらの範囲であると、低反発性、高ダンピング性を有することで衝撃吸収性に優れるので、このような緩衝部４により、ランドセルの荷重が使用者の肩の一部に偏らずに分散されるので、内容物が多くランドセルが重くなったり長い時間背負っていたりしても肩が痛くなりにくい。緩衝部４は、ベルト本体１の長手方向には、基端側１ａと最も基端側１ａに位置する第二ベルト孔３の間、より具体的には、基端側１ａの固定具Ｒと屈曲点Ｐとの間に設けられており、使用者の肩から脇腹に相当する位置に配設されている。引張強度、引裂強度、伸び率における数値は、それぞれＡＳＴＭ  Ｄ３５７４に準じて、２２℃の温度条件下で毎分５１ｃｍの引っ張り速度にて試験された結果に基づくものである。
【００２２】
緩衝部４の材料としては、ウレタンフォーム、シリコンフォーム、ポリプロピレンフォームなど気泡が連通している発泡樹脂であることが好ましい。緩衝部４が、このような材料であると、緩衝部４に衝撃が加わったときに、気泡内部の空気が緩衝部４の外に徐々に押し出されるので使用者の肩に対する反発が穏やかになり、振動が減衰するなどして、その衝撃が分散されるので、使用者の肩への負担が軽減される。
【００２３】
吊下具用孔６が、ベルト本体１の長手方向における、基端側１ａと最も基端側１ａ位置する第二ベルト孔３の中間近傍に穿設されている。給食袋などを吊り下げるための茄子カンを固定するためのリベットなどを吊下具用孔６に挿通して、茄子カンをベルト本体に固定定することができる。
【符号の説明】
【００２４】
１・・・ベルト本体
１ａ・・・基端側
１ｂ・・・先端側
１１・・・表面部
１２・・・裏面部
２・・・第一ベルト孔
３・・・第二ベルト孔
４・・・緩衝部
５・・・取付具
６・・・吊下具用孔
Ｒ・・・固定具
Ｐ・・・屈曲点
【図１】
0003235089.tif 000003
【図２】
0003235089.tif 000004
【図３】
0003235089.tif 000005
【図４】
0003235089.tif 000006
【図５】
0003235089.tif 000007